(57)【要約】      （修正有）【課題】天板とフレームとの組み立てにおいて、容易に位置決めが確認できる加熱調理器を提供する。【解決手段】加熱調理器は、内部に加熱手段を有する本体ケースと、本体ケースの上部を覆う天板２と、天板の縁部２ａ、２ｂ、２ｃ、２ｄを囲むように装着され、天板と共に本体ケースの上部に取り付けられたフレームとを備え、天板あるいは天板とフレームとに、天板に対するフレームの位置合わせを示す識別部２０を設けたものである。【選択図】図２
2018173201.tif 000002
【特許請求の範囲】
【請求項１】
内部に加熱手段を有する本体ケースと、
前記本体ケースの上部を覆う天板と、
前記天板の縁部を囲むように装着され、当該天板と共に前記本体ケースの上部に取り付けられたフレームと
を備え、
前記天板あるいは当該天板と前記フレームとに、前記天板に対する前記フレームの位置合わせを示す識別部を設けたことを特徴とする加熱調理器。
【請求項２】
前記識別部は、前記天板の表面の四隅に表示された等辺山形状のマークであることを特徴とする請求項１記載の加熱調理器。
【請求項３】
前記識別部は、前記天板の表面に当該天板の縁部に沿って表示された四角形状のマークであることを特徴とする請求項１記載の加熱調理器。
【請求項４】
前記識別部は、
前記フレームの前後のうち手前のフレーム上に設けられた第１マークと、前記フレームの左右のうち少なくとも一方のフレーム上に設けられた第２マークと、
前記天板の表面であって、前記第１マークと対向する位置に表示された第３マークと、
前記天板の表面であって、前記第２マークと対向する位置に表示された第４マークと
で構成されることを特徴とする請求項１記載の加熱調理器。
【請求項５】
前記天板には、前記加熱手段と対向する位置に被加熱物を加熱する加熱口が設けられ、
前記第１マークは、前記手前のフレームから直角に前記加熱口の中心を通る線上に位置するように設けられ、
前記第２マークは、前記一方のフレームから直角に前記加熱口の中心を通る線上に位置するように設けられていることを特徴とする請求項４記載の加熱調理器。
【請求項６】
前記天板の表面には、前後方向および左右方向に亘って点印刷が施されていることを特徴とする請求項１〜５の何れか１項に記載の加熱調理器。
【請求項７】
前記天板には、前記加熱手段と対向する位置に被加熱物を加熱する加熱口が設けられ、
前記識別部は、
前記フレームの前後のうち手前のフレーム上に、手前のフレームから直角に前記加熱口の中心を通る線上に位置するように設けられた第１マークと、
前記フレームの左右のうち少なくとも一方のフレーム上に、当該一方のフレームから直角に前記加熱口の中心を通る線上に位置するように設けられた第２マークと、
前記天板の表面であって、前記第１マークと前記加熱口の中心との間に表示された第３マークと、
前記天板の表面であって、前記第２マークと前記加熱口の中心との間に表示された第４マークと
を備え、
前記天板の表面には、前記第３マークと前記第４マークとを中心とするＬ字形状の帯状領域に表示されるように、前後方向および左右方向に亘って点印刷が施されていることを特徴とする請求項１記載の加熱調理器。
【発明の詳細な説明】
【技術分野】
【０００１】
本発明は、天板に載置された被加熱物を加熱する加熱調理器に関するものである。
【背景技術】
【０００２】
従来の加熱調理器として、天板にフレームを接着するとき、接着剤の塗布位置の目安として天板の裏側に接着剤の塗布する部分を示す目印を印刷しているものがある（例えば、特許文献１参照）。
【先行技術文献】
【特許文献】
【０００３】
【特許文献１】特許第５８４５３８６号公報
【発明の概要】
【発明が解決しようとする課題】
【０００４】
特許文献１に記載の加熱調理器では、前述の目印を天板の裏面に印刷しているため、天板が表になっている状態でフレームをどこに置いたら良いか位置が判らず、天板とフレームが正しい位置にあるのかが判らないという課題がある。また、位置決め治具を用いて天板とフレームとを接着したとしても、天板とフレームとの位置関係が正しいかどうかの確認が困難であるという課題もあった。
【０００５】
本発明は、前述のような課題を解決するためになされたもので、天板とフレームとの組み立てにおいて、容易に位置合わせが確認できる加熱調理器を提供することを目的とする。
【課題を解決するための手段】
【０００６】
本発明に係る加熱調理器は、内部に加熱手段を有する本体ケースと、前記本体ケースの上部を覆う天板と、前記天板の縁部を囲むように装着され、当該天板と共に前記本体ケースの上部に取り付けられたフレームとを備え、前記天板あるいは当該天板と前記フレームとに、前記天板に対する前記フレームの位置合わせを示す識別部を設けたものである。
【発明の効果】
【０００７】
本発明によれば、天板あるいは天板とフレームとに、天板に対するフレームの位置合わせを示す識別部を設けているので、天板に対するフレームの位置合わせを正確に、かつ容易に合わせることができ、天板とフレームの位置ずれを防止できる。
【図面の簡単な説明】
【０００８】
【図１】本発明の実施の形態１に係る加熱調理器の斜視図である。
【図２】図１に示す天板および天板に組み付ける前のフレームの斜視図である。
【図３】図１の識別部の変形例を示す加熱調理器の斜視図である。
【図４】本発明の実施の形態２に係る加熱調理器の斜視図である。
【図５】本発明の実施の形態３に係る加熱調理器の斜視図である。
【図６】図５の識別部の変形例を示す加熱調理器の斜視図である。
【発明を実施するための形態】
【０００９】
実施の形態１．
図１は本発明の実施の形態１に係る加熱調理器の斜視図、図２は図１に示す天板および天板に組み付ける前のフレームの斜視図である。
図１および図２において、本実施の形態１に係る加熱調理器１００は、キッチン台の上面開口部から収容される組込式の加熱調理器である。この加熱調理器１００の本体ケース１は、内部に扉１０と対向するように加熱庫が設置され、加熱庫の上方に加熱手段である例えば３つの誘導加熱コイルが配置されている。加熱庫は、扉１０によって開閉される開口部を有し、更に内部の上下にシーズヒーターを有している。なお、加熱庫に代えて、例えばしゃもじ、へら、おろし金等の調理小物を収納する収納庫でも良い。
【００１０】
扉１０は、加熱庫内に摺動自在に収容される受け皿等を備えている。この扉１０は、本体ケース１の前部右側に設置された化粧板１１と同一面で、同じ色、同じ材料によって形成されている。つまり、扉１０と化粧板１１は、キッチン台の正面には設けられた複数の引出用扉と同一面で、引出用扉と同じ色、同じ材料によって形成されている。
【００１１】
３つの誘導加熱コイルのうち、２つの誘導加熱コイルは、手前の扉１０側の左右に配置され、残りの誘導加熱コイルは、奥側の左右の中央に設置されている。残りの誘導加熱コイルの外径は、２つの誘導加熱コイルの外径よりも小さく形成されている。なお、奥側の加熱手段を誘導加熱コイルとしているが、これに代えてラジエントヒーターでも良い。また、３つの誘導加熱コイルを備えた加熱調理器１００としているが、２つあるいは４つの誘導加熱コイルを備えた加熱調理器１００でも良い。
【００１２】
天板２は、例えば、四辺形に形成された結晶化ガラスにより構成され、３つの誘導加熱コイルに対向する位置に加熱口４、５、６が表示されている。この加熱口４、５、６は、加熱調理を行うときに、内部に調理物を入れる鍋などの調理器具を置く位置であり、天板２の裏面に印刷によって円形状に表示されている。天板２の各辺の縁部２ａ、２ｂ、２ｃ、２ｄには、シリコン系接着剤等で固着された例えばステンレス製のフレーム３が取り付けられている。この天板２は、フレーム３が取り付けられた状態で本体ケース１の上部に設置されている。
【００１３】
フレーム３は、例えば図２に示すように、天板２の前側の縁部２ａが差し込まれる前フレーム３ａと、天板２の左側の縁部２ｂが差し込まれる左フレーム３ｂと、天板２の右側の縁部２ｃが差し込まれる右フレーム３ｃと、天板２の奥側の縁部２ｄが差し込まれる後フレーム３ｄとで構成されている。
【００１４】
前フレーム３ａには、加熱口４、５、６に対応して複数のキースイッチ８が配置されている。左フレーム３ｂと右フレーム３ｃは、互いに対向する面が開放された角棒状に形成されている。後フレーム３ｄには、左右に排気口カバー９で覆われる排気口１２が設けられている。
【００１５】
前述した天板２の表面には、前後方向および左右方向に亘って等間隔に丸形状のドット７が印刷されている。このドット７は、図２に示すように、天板２の各縁部２ａ、２ｂ、２ｃ、２ｄを除く表面全体に印刷されている。このドット７が印刷されていない縁部２ａ、２ｂ、２ｃ、２ｄは、フレーム３に隠れる部分である。つまり、縁部２ａ、２ｂ、２ｃ、２ｄは、天板２の各辺の端からフレーム３が差し込まれる部分である。なお、図２において、天板２を見えやすく表現するために、天板２の内側のドット７は省略している。また、天板２の表面にドット７を印刷して形成される四辺形の四隅には、識別部である等辺山形状のマーク２０が印刷されている。このマーク２０は、天板２の表面に印刷されたドット７よりも大きいドット２０ａによって等辺山形状に形成されている。
【００１６】
前フレーム３ａを天板２の前側の縁部２ａに取り付ける際には、４つのマーク２０のうち、天板２の縁部２ａ側の左右に位置するマーク２０の横列のドット２０ａ上に前フレーム３ａの上側一端３ａ１が位置するように、前フレーム３ａに天板２の縁部２ａを差し込む。左フレーム３ｂを天板２の左側の縁部２ｂに取り付ける際には、４つのマーク２０のうち、天板２の縁部２ｂ側の前後に位置するマーク２０の縦列のドット２０ａ上に左フレーム３ｂの上側一端３ｂ１が位置するように、左フレーム３ｂに天板２の縁部２ｂを差し込む。
【００１７】
また、右フレーム３ｃを天板２の右側の縁部２ｃに取り付ける際には、４つのマーク２０のうち、天板２の縁部２ｃ側の前後に位置するマーク２０の縦列のドット２０ａ上に右フレーム３ｃの上側一端３ｃ１が位置するように、右フレーム３ｃに天板２の縁部２ｃを差し込む。更に、後フレーム３ｄを天板２の後側の縁部２ｃに取り付ける際には、４つのマーク２０のうち、天板２の縁部２ｄ側の左右に位置するマーク２０の横列のドット２０ａ上に後フレーム３ｄの上側一端３ｄ１が位置するように、後フレーム３ｄに天板２の縁部２ｄを差し込む。
【００１８】
以上のように本実施の形態１によれば、天板２の表面にドット７を印刷して形成される四辺形の四隅に、識別部である等辺山形状のマーク２０を印刷しているので、天板２に対するフレーム３の位置合わせを正確に、かつ容易に合わせることができ、天板２とフレーム３の位置ずれを防止できる。
【００１９】
なお、本実施の形態１では、天板２の表面にドット７を印刷して形成される四辺形の四隅に、識別部である等辺山形状のマーク２０を印刷したが、例えば、図３に示すようなマーク２１であっても良い。この図３は図１の識別部の変形例を示す加熱調理器の斜視図である。つまり、天板２の表面にドット７を印刷して形成される四辺形を、そのドット７よりも大きいドット２１ａで囲んで形成される四角形状のマーク２１であっても良い。
【００２０】
この変形例において、前フレーム３ａを天板２の前側の縁部２ａに取り付ける際には、天板２の縁部２ａ側の左右に延びるマーク２１の横列のドット２１ａ上に前フレーム３ａの上側一端３ａ１が位置するように、前フレーム３ａに天板２の縁部２ａを差し込む。左フレーム３ｂを天板２の左側の縁部２ｂに取り付ける際には、天板２の縁部２ｂ側の前後に延びるマーク２１の縦列のドット２１ａ上に左フレーム３ｂの上側一端３ｂ１が位置するように、左フレーム３ｂに天板２の縁部２ｂを差し込む。
【００２１】
また、右フレーム３ｃを天板２の右側の縁部２ｃに取り付ける際には、天板２の縁部２ｃ側の前後に延びるマーク２１の縦列のドット２１ａ上に右フレーム３ｃの上側一端３ｃ１が位置するように、右フレーム３ｃに天板２の縁部２ｃを差し込む。更に、後フレーム３ｄを天板２の後側の縁部２ｃに取り付ける際には、天板２の縁部２ｄ側の左右に延びるマーク２１の横列のドット２１ａ上に後フレーム３ｄの上側一端３ｄ１が位置するように、後フレーム３ｄに天板２の縁部２ｄを差し込む。
【００２２】
以上のように、天板２の表面にドット７を印刷して形成される四辺形を、そのドット７よりも大きいドット２１ａで囲んで形成される四角形状のマーク２１を識別部として用いるようにしている。このマーク２１により、天板２に対するフレーム３の位置合わせを正確に、かつ容易に合わせることができ、天板２とフレーム３の位置ずれを防止できる。
【００２３】
なお、本実施の形態１および実施の形態１の変形例では、天板２の表面に前後方向および左右方向に亘って等間隔にドット７が印刷されているが、そのドット７のない天板２を用いても良い。
【００２４】
実施の形態２．
図４は本発明の実施の形態２に係る加熱調理器の斜視図である。なお、図１および図２に示す実施の形態１の加熱調理器１００と同様の部分には同じ符号を付している。
本実施の形態２における識別部は、フレーム３の前後のうち前フレーム３ａ上に設けられた第１マーク２２ａ、２２ｂと、フレーム３の左右の左フレーム３ｂ上および右フレーム３ｃ上にそれぞれ設けられた第２マーク２３ａ、２３ｂと、天板２の表面であって、第１マーク２２ａ、２２ｂと対向する位置にそれぞれ表示された第３マーク２４ａ、２４ｂと、天板２の表面であって、第２マーク２３ａ、２３ｂと対向する位置にそれぞれ表示された第４マーク２５ａ、２５ｂとで構成されている。第１マーク２２ａ、２２ｂは、前フレーム３ａの長手方向に対して直角の方向に加熱口４、５の各中心を通る線上に位置するように設けられている。第２マーク２３ａ、２３ｂは、左フレーム３ｂと右フレーム３ｃの長手方向に対してそれぞれ直角の方向に加熱口４、５の各中心を通る線上に位置するように設けられている。
【００２５】
第３マーク２４ａ、２４ｂと第４マーク２５ａ、２５ｂは、天板２の表面に表示されたドット７とは形態が異なる形状、例えば三角形状のドットに形成されている。また、第１マーク２２ａ、２２ｂと第２マーク２３ａ、２３ｂは、前フレーム３ａ、左フレーム３ｂおよび右フレーム３ｃの上面から上方に突出する三角形状の凸部からなっている。また、第１マーク２２ａと第３マーク２４ａ、第１マーク２２ｂと第３マーク２４ｂは、それぞれ三角形の頂点が互いに向き合うように設定されている。また、第２マーク２３ａと第４マーク２５ａ、第２マーク２３ｂと第４マーク２５ｂは、前記と同様に、それぞれ三角形の頂点が互いに向き合うように設定されている。
【００２６】
このように、前フレーム３ａ上に第１マーク２２ａ、２２ｂを設け、左フレーム３ｂ上に第２マーク２３ａを設け、右フレーム３ｃ上に第２マーク２３ｂを設けている。更に、天板２の表面の第１マーク２２ａ、２２ｂと対向する位置にそれぞれ第３マーク２４ａ、２４ｂを表示し、天板２の表面の第２マーク２３ａ、２３ｂと対向する位置にそれぞれ第４マーク２５ａ、２５ｂを表示している。この識別部により、天板２に対するフレーム３の位置決めを正確に、かつ容易に合わせることができ、天板２とフレーム３の位置ずれを防止できる。
【００２７】
なお、本実施の形態２では、４箇所の位置でマークが互いに向き合うようにしたが、例えば、加熱口４側に位置する第１マーク２２ａと第３マーク２４ａ、第２マーク２３ａと第４マーク２５ａで、天板２に対するフレーム３の位置合わせを行えるようにしても良い。
【００２８】
また、本実施の形態２では、第１マーク２２ａ、２２ｂを、前フレーム３ａから直角に加熱口４、５の各中心を通る線上に位置するように設け、第２マーク２３ａ、２３ｂを、左フレーム３ｂと右フレーム３ｃからそれぞれ直角に加熱口４、５の各中心を通る線上に位置するように設けたが、これに限定されるものではない。例えば、天板２に表示したマークとフレーム３上のマークとが互いに向き合う位置であれば、何れの位置でも良い。
【００２９】
実施の形態３．
図５は本発明の実施の形態３に係る加熱調理器の斜視図である。なお、図１および図２に示す実施の形態１の加熱調理器１００と同様の部分には同じ符号を付している。
本実施の形態３における識別部は、フレーム３の前後のうち前フレーム３ａ上に設けられた第１マーク２２ａ、２２ｂと、フレーム３の左右の左フレーム３ｂ上および右フレーム３ｃ上にそれぞれ設けられた第２マーク２３ａ、２３ｂと、天板２の表面であって、第１マーク２２ａおよび第２マーク２３ａと加熱口４の中心との間にそれぞれ表示された第３マーク２６ａ、２６ｂと、第１マーク２２ｂおよび第２マーク２３ｂと加熱口５の中心との間にそれぞれ表示された第４マーク２７ａ、２７ｂとで構成されている。
【００３０】
第１マーク２２ａ、２２ｂは、それぞれ前フレーム３ａの長手方向に対して直角の方向に加熱口４、５の各中心を通る線上に位置するように設けられ、また、第２マーク２３ａ、２３ｂは、それぞれ左フレーム３ｂ上および右フレーム３ｃの長手方向に対して直角の方向に加熱口４、５の各中心を通る線上に位置するように設けられている。第３マーク２６ａ、２６ｂは、それぞれ第１マーク２２ａおよび第２マーク２３ａと対向する位置に表示され、第４マーク２７ａ、２７ｂは、それぞれ第１マーク２２ｂおよび第２マーク２３ｂと対向する位置に表示されている。
【００３１】
第３マーク２６ａ、２６ｂと第４マーク２７ａ、２７ｂは、天板２の表面に表示されたドット７とは異なる形態である三角形状に形成され、それぞれ一列に配列されている。また、第１マーク２２ａ、２２ｂと第２マーク２３ａ、２３ｂは、前フレーム３ａ、左フレーム３ｂおよび右フレーム３ｃの上面から上方に突出する三角形状の凸部からなっている。第３マーク２６ａ、２６ｂは、それぞれ第１マーク２２ａおよび第２マーク２３ａと同じ方向に向けられており、第４マーク２７ａ、２７ｂは、それぞれ第１マーク２２ｂおよび第２マーク２３ｂと同じ方向に向けられている。
【００３２】
天板２の表面には、第３マーク２６ａ、２６ｂと第４マーク２７ａ、２７ｂとをそれぞれ中心とするＬ字形状の帯状領域３０、３１が表示されるように、前後方向および左右方向に亘って等間隔にドット７が印刷されている。
【００３３】
本実施の形態３においては、前フレーム３ａ上に第１マーク２２ａ、２２ｂを設け、左フレーム３ｂ上および右フレーム３ｃ上にそれぞれ第２マーク２３ａ、２３ｂを設けている。また、天板２の表面であって、第１マーク２２ａおよび第２マーク２３ａと加熱口４の中心との間にそれぞれ第３マーク２６ａ、２６ｂを表示し、第１マーク２２ｂおよび第２マーク２３ｂと加熱口５の中心との間にそれぞれ第４マーク２７ａ、２７ｂを表示している。この識別部により、天板２に対するフレーム３の位置決めを正確に、かつ容易に合わせることができ、天板２とフレーム３の位置ずれを防止できる。
【００３４】
また、天板２表面に表示されたドット７と、Ｌ字形状の帯状領域３０、３１と、帯状領域３０、３１内にそれぞれ表示された第３マーク２６ａ、２６ｂと第４マーク２７ａ、２７ｂとの違いを指の感触で判別できるので、視力が弱い人であっても、第３マーク２６ａ、２６ｂあるいは第４マーク２７ａ、２７ｂを指で触ることにより、加熱口４又は５の中心位置を確認することができ、確実に鍋等の被加熱物を加熱口４又は５に載置することができる。
【００３５】
なお、本実施の形態３では、Ｌ字形状の帯状領域３０、３１内に、それぞれ第３マーク２６ａ、２６ｂと第４マーク２７ａ、２７ｂを表示したが、これに限定されるものではない。例えば、図６に示すように、Ｌ字形状の帯状領域３０、３１内に、第３マーク２６ａ、２６ｂと第４マーク２７ａ、２７ｂがなくても良い。この図６は図５の識別部の変形例を示す加熱調理器の斜視図である。
この場合、ドット７が印刷された天板２の表面とＬ字形状の帯状領域３０、３１内との違いを指の感触で判別できるので、視力が弱い人であっても、加熱口４又は５の中心位置を確認することができ、確実に鍋等の被加熱物を加熱口４又は５に載置することができる。
【００３６】
実施の形態２、３では、天板２上およびフレーム３上の各マークを三角形状としているが、各マークの形状は限定されるものではない。
【符号の説明】
【００３７】
１  本体ケース、２  天板、２ａ、２ｂ、２ｃ、２ｄ  縁部、３  フレーム、３ａ  前フレーム、３ａ１  前フレームの上側一端、３ｂ  左フレーム、３ｂ１  左フレームの上側一端、３ｃ  右フレーム、３ｃ１  右フレームの上側一端、３ｄ  後フレーム、３ｄ１  後フレームの上側一端、４、５、６  加熱口、７  ドット、８  キースイッチ、９  排気口カバー、１０  扉、１１  化粧板、１２  排気口カバー、２０  マーク、２０ａ  マークのドット、２１  マーク、２１ａ  マークのドット、２２ａ、２２ｂ  第１マーク、２３ａ、２３ｂ  第２マーク、２４ａ、２４ｂ  第３マーク、２５ａ、２５ｂ  第４マーク、２６ａ、２６ｂ  第３マーク、２７ａ、２７ｂ  第４マーク、３０、３１  Ｌ字形状の帯状領域、１００  加熱調理器。
【図１】
2018173201.tif 000003
【図２】
2018173201.tif 000004
【図３】
2018173201.tif 000005
【図４】
2018173201.tif 000006
【図５】
2018173201.tif 000007
【図６】
2018173201.tif 000008